(57)【要約】【課題】従来、実数値を用いてコンピュータ画面で作図を行う場合、コンピュータ画面のドット数が限られており、所望する数値設定での作図の作業が難しい場合がある。このような場合、図形の一部を拡大して作図を行うが、従来のものでは、一旦その作図処理を終了させてから拡大処理を行う必要があり、操作が面倒であった。【解決手段】ポインティングデバイスを移動させて所望の数値位置に来たときにポインティングデバイスの左をクリックして数値を確定、もし所望の位置に達していない時は他方をクリックして拡大目盛を表示しポインティングデバイスの操作により所望の数値で左クリックにより作図を終了する。【選択図】  図１
2009009256.tif 000002
【特許請求の範囲】
【請求項１】
入力手段と、作図機能手段と、表示手段とを備えた作図システムであって、前記入力手段は、所望の作図処理を選択するためのポインティングデバイスと前記表示手段の画面上で1ドット当たりの実寸値を示す計測基本単位設定装置を備え、前記ポインティングデバイスを右手で操作する場合に前記表示手段に向かって、前記ポインティングデバイスは一方の側にある第１のクリック部材と他方の側にある第２のクリック部材と、前記ポインティングデバイスの位置を検出するポインティングデバイス位置検出手段を備え、前記作図機能手段は、前記表示手段の画面上で前記ポインティングデバイスを移動時に前記ポインティングデバイス位置検出手段の位置を数値で表示し、前記第１のクリック部材の作動により前記ポインティングデバイスの前記位置を出力する信号を発生し、前記第２のクリック部材の作動により前記位置の前後の数値を目盛で表示する作図システム。
【請求項２】
前記ポインティングデバイスは、手のひらで包み込み、握り締めて使用するマウスである請求項１に記載の作図システム。
【請求項３】
前記ポインティングデバイス位置検出手段は、手のひらで握り締める面とは反対側の机やポインティングデバイスパッド上等と擦れ合う底面にある請求項２に記載の作図システム。
【請求項４】
前記一方の側は左側であり、他方の側は右側であり、第１のクリック部材は左クリック部材であり、第２のクリック部材は右クリック部材である請求項１に記載の作図システム。
【発明の詳細な説明】
【技術分野】
【０００１】
本発明は、コンピュータを使い電気製品等のコンシューマ商品、建築物等の作図時に使用する実寸を入力する作図システムに関するものである。
【背景技術】
【０００２】
実寸を入力してコンピュータ画面で作図を行う場合、コンピュータ画面のドット数が限定されており、正確な実寸設定作業が難しい場合がある。このような場合、図形の一部を拡大して作図を行うが、従来のものでは、一旦その作図処理を終了させてから拡大処理を行う必要があり、操作が面倒であった。
【０００３】
特許文献１では、ある作図処理においてある領域を指定し、その指定した領域の拡大の処理を行いたい場合、入力手段から拡大割り込みを選択すれば、割り込み処理が行われて図形の所望の領域を拡大表示することができ、その状態で所望の処理を行うことができ、拡大割り込みの処理を終了させるための割り込みキーが選択された場合には、拡大表示していた図形を元の大きさに戻していた。
【０００４】
【特許文献１】特許２７９５４３７号公報
【発明の開示】
【発明が解決しようとする課題】
【０００５】
以上に述べた従来の設計方法では、ある領域を指定し、その指定した領域について拡大したいときに、タブレットメニューから「拡大」を選択して、割り込み処理を行って拡大表示し、所望の処理を行って拡大割り込みの処理を終了させるときは同じくタブレットメニューから「拡大ＯＦＦ」を選択して拡大表示していた図形を元の大きさに戻しているものであり、タブレットメニューから「拡大」、「拡大ＯＦＦ」を選択している。これは操作が複雑でタブレットメニューのような別の操作部材を必要とするものである。
【０００６】
本発明は、このような操作が複雑であるという問題点をポインティングデバイス操作のみで解決しようとするものであり、ポインティングデバイス移動、第１のクリック部材のクリック、第２のクリック部材のクリックを利用するだけで簡単に実寸に基づく所望の作図が可能な入力表示装置を提供とすることを目的とするものである。
【課題を解決するための手段】
【０００７】
本発明の請求項１は、入力手段と、作図機能手段と、表示手段とを備えた作図システムであって、前記入力手段は、所望の作図処理を選択するためのポインティングデバイスで、右手で操作する場合に前記表示手段に向かって、前記ポインティングデバイスに対して一方の側にある第１のクリック部材と他方の側にある第２のクリック部材と、前記表示手段の画面上で1ドット当たりの実寸値を示す計測基本単位設定装置が設けられ、前記ポインティングデバイスの位置を検出するポインティングデバイス位置検出手段を備えたポインティングデバイスであって、前記作図機能手段は、前記表示手段の画面上で前記ポインティングデバイスを移動時に前記ポインティングデバイス位置検出手段の位置を数値で表示し、前記第１のクリック部材の作動により前記ポインティングデバイスの前記位置を出力する信号を発生し、前記第２のクリック部材の作動により前記位置の前後の数値を目盛で表示する作図システムを提供するものである。
【０００８】
本発明の請求項２は、前記ポインティングデバイスは、手のひらで包み込み、握り締めて使用するマウスである請求項１に記載の作図システムを提供するものである。
【０００９】
本発明の請求項３は、前記ポインティングデバイス位置検出手段は、手のひらで握り締める面とは反対側の机やポインティングデバイスパッド上等と擦れ合う底面にある請求項２に記載の作図システムを提供するものである。
【００１０】
本発明の請求項４は、前記一方の側は左側であり、他方の側は右側であり、第１のクリック部材は左クリック部材であり、第２のクリック部材は右クリック部材である請求項１に記載の作図システムを提供するものである。
【００１１】
上述したように本発明の作図システムはコンピュータと別体または一体的に備えられたポインティングデバイスの移動により最終計測値付近の数値を表示し、最終位置に達した時はそこで第１のクリック部材の作動により位置の決定を行う。
【００１２】
第１のクリック部材の作動により最終位置に達しない時は、第２クリック部材の作動により同表示数値を中心とした数直線が表示し、同数直線上に制御を移し最終位置の入力が可能となり、数値を基にするコンピュータ作図をポインティングデバイスのみで可能にする。
【発明を実施するための最良の形態】
【００１３】
以下、本発明の実施の形態を図１〜図６に基き説明する。
【００１４】
図１は本発明の実施例の形態を示すブロック図である。Ａは計測数値を決定する計測基本単位設定装置を示し、これでコンピュータ画面上で１ドット数当たりの実寸の長さの設定が可能となる。設定できる基本単位とは、例えば１ドットを実際の寸法の１００ｍｍとするか１０ｍｍ、５ｍｍあるいは１ｍｍ等を割り当てるかという比率単位である。計測基本単位設定装置Ａで設定された基本計測単位がＢで示す入力表示制御部に設定される。
【００１５】
１はポインティングデバイスを示し、２は第１のクリック部材、例えばポインティングデバイスの左クリック部材を示す。３は第２のクリック部材、例えばポインティングデバイスの右クリック部材を示す。ポインティングデバイス１が操作されるとその信号は入力表示制御部Ｂで処理され、ポインティングデバイス位置計測値として、数字の列でなくて単一数値として単一数値表示装置４に出力される。この時、表示された数値が所望の値であったとき、第１のクリック部材２の操作が行われると、入力表示制御部Ｂにより、表示中の値を最終計測値として出力する。
【００１６】
しかし第１のクリック部材２の操作で所望の値が得られない時は、第２のクリック部材３の操作、即ちポインティングデバイスの右クリック部材をクリックすると、入力表示制御部Ｂが単一数値表示装置４に表示中の計測値を中心とし、前後５目盛分の数値を計算し、更に同目盛間の中間値を計算処理し、５で示す、目盛が直線状に配された目盛数値直線表示装置に数値列が出力される。
【００１７】
入力表示制御部Ｂにはポインティングデバイス１、例えばポインティングデバイスの移動、第１のクリック部材２、例えばポインティングデバイスの左クリック部材の作動、第２のクリック部材３、例えばポインティングデバイスの右クリック部材の作動が入力され、ポインティングデバイス１の操作、即ちポインティングデバイス移動で目盛数値直線表示装置５に表示中の数値選択が可能となる。また入力表示制御部Ｂは第１のクリック部材２の操作、例えばポインティングデバイスの左クリック部材で入力される数値を最終計測値として出力する。また入力表示制御部Ｂは第２のクリック部材の作動、例えばポインティングデバイスの右クリック部材の操作が入力表示制御部Bに入力され、単一数値表示装置４を起動する。このように適切な最終計測値が決定するまで入力表示制御部Bは処理を繰り返すことになる。
【００１８】
前記最終計測値が所望の値に対して計測基本単位設定値が不適切な場合には計測基本単位設定装置Aの値、即ち１ドット当たりの実寸の値を小さな値に変更する。その変更された値をもとに上記作動を繰り返す。
【００１９】
図２は本発明の実施形態を示す第１のフローチャートを示す。作図開始してから、ポインティングデバイス１を移動して移動位置の計測値を単一数値で表示する。１で示すようにポインティングデバイス１を移動させ、Ｓ２で示すように所望する計測値の位置に移動したときに、Ｓ３で示すように、ポインティングデバイス１の第１のクリック部材２、例えば左クリック部材の作動で単一数値を最終計測値として出力する。
【００２０】
図３は本発明の実施形態のポインティングデバイスの第１のクリック部材２、例えば左クリック部材の作動のみで所望する計測値の確定が困難な場合であり、第２のフローチャートを示す。Ｓ１１で示すようにポインティングデバイス１を移動させると、単一数値が出力され、所望の値に対して計測基本単位設定値が適切かどうかをＳ１２で示すように判定し、所望の値に対して不適切な場合に、計測基本単位設定装置を使い１ドット当たりの実寸の寸法を小さい値に修正する。Ｓ１３で示すように第１のクリック部材２、例えば左クリック部材を作動し、Ｓ１４で示すように、入力表示制御部Bはポインティングデバイスの第２のクリック部材、例えば右クリック部材の作動により単一表示される計測値を中心に拡大した目盛の数値直線を作成し、目盛数値直線表示装置５に出力する。同時に所望の値を得るべく入力表示制御部Bは数値の目盛上でのポインティングデバイス１を移動する。所望の値が得られない時は、Ｓ１３に戻り、ポインティングデバイスの第１のクリック部材２、例えば左クリック部材を再度作動させて後、再びＳ１４に戻り、ポインティングデバイスの第２のクリック部材３、例えば右クリック部材を作動させて目盛の数値直線を作成し、ポインティングデバイス１を作動させて、所望の値を得た場合にＳ１５で示すようにポインティングデバイスの第１のクリック部材２、例えば左クリック部材を作動させて最終計測値を確定し作図終了する。所望の値が得られるまで上述のように作動を繰り返す。
【００２１】
図４は、Ｓ２１で示すようにポインティングデバイス１を移動させ、ポインティングデバイスの第１クリック部材２、例えば左クリック部材をクリックせずにポインティングデバイスの第２のクリック部材３、例えば右クリック部材をクリックした場合の第３のフローチャートを示す。Ｓ２２で示すように、第２クリック部材３、例えば右クリック部材でクリックした後、ポインティングデバイス１を作動させて目盛数値直線表示装置５の出力する値の中で所望する計測値が得られたら、Ｓ２３で示すように、ポインティングデバイスの第１クリック部材２、例えば左クリック部材をクリックし、最終計測値として入力表示制御部Bは処理を確定する。
【００２２】
図５は本発明を利用しコンピュータ画面上でＸ点とＹ点間に、Ｘ点から実長計測しＰ点を確定したい場合の実施事例を示す。作業開始時はポインティングデバイス１の移動に追随しポインティングデバイス位置計測値が単一数値で表示される。所望する数値が表示された時点でポインティングデバイスの第１のクリック部材２、例えば左クリック部材により計測値を確定する。所望する数値を単一数値で確定困難な場合、所望する数値付近でポインティングデバイスの第２のクリック部材３、例えば右クリック部材をクリックし、該当数値付近の拡大目盛を表示する。目盛上の表示数値の中から所望する計測値をポインティングデバイスを移動させて選択し、第1のクリック部材、例えば左クリック部材を作動し、確定する。このようにして実数値に基づくＸ点からの位置Ｐ点を決定する。
【００２３】
図６は、本発明のコンピュータ画面上での数値表示実例起動図を示す。基点Ｘよりポインティングデバイス１の位置を２１００のポイントＰに移動させたいときに、ポインティングデバイスの移動だけで丁度２１００のポイントに移動できないときに、単一表示装置が２１００付近である２２００のポイントを表示するとき第２の右クリック部材を作動すると図右に示すように２２００のポイントを中心値とする目盛数値直線が表示され、その目盛数値直線上でポインティングデバイス１を移動させて２１００のポイントを選択し、第1のクリック部材、例えば左クリック部材を作動して確定する。そうすることにより所望の値である基点より２１００のポイント位置を最終計測値として確定することができる。
【図面の簡単な説明】
【００２４】
【図１】本発明の実施例を示すブロック図
【図２】本発明の実施例を操作したときの第１のフローチャート
【図３】本発明の実施例を操作したときの第２のフローチャート
【図４】本発明の実施例を操作したときの第３のフローチャート
【図５】本発明の事例説明図
【図６】本発明のコンピュータ画面上での数値表示実例起動図
【符号の説明】
【００２５】
Ａ      計測基本単位設定装置
Ｂ      入力表示制御部
１      ポインティングデバイス
２      第１のクリック部材（例えばポインティングデバイスの左クリック部材）
３      第２のクリック部材（例えばポインティングデバイスの右クリック部材）
４      単一数値表示装置
５      目盛数値直線表示装置
【図１】
2009009256.tif 000003
【図２】
2009009256.tif 000004
【図３】
2009009256.tif 000005
【図４】
2009009256.tif 000006
【図５】
2009009256.tif 000007
【図６】
2009009256.tif 000008